(57)【特許請求の範囲】
【請求項１】
静止画像と音声データを関連づけして記録する記録モードを備えたデジタルスチルカメラにおいて、
被写体を撮像して画像データを得る撮像手段と、
音声を電気信号に変換して音声データを得る音声入力手段と、
前記画像データを所定形態で画像データファイルとし、前記音声データを所定形態で音声データファイルとして格納する記憶手段と、
を備え、
静止画像と音声データを関連づけて記録する場合に、画像データファイルの一部に関連づけする音声データファイルの関連情報を記録し、かつ、音声データファイルの一部に関連づけする画像データファイルの関連情報を記録することを特徴とするデジタルスチルカメラ。
【請求項２】
前記音声データファイルの関連情報または前記画像データファイルの関連情報として、撮影モードを記録することを特徴とする請求項１に記載のデジタルスチルカメラ。
【請求項３】
前記音声データファイルの関連情報は、前記音声データファイルのファイル名であり、
前記画像データファイルの関連情報は、前記画像データファイルのファイル名であることを特徴とする請求項１または２に記載のデジタルスチルカメラ。
【請求項４】
前記ファイル名を、ＡＳＣＩＩコードまたはバイナリーコードで記録することを特徴とする請求項１〜３のいずれか１つに記載のデジタルスチルカメラ。
【請求項５】
前記関連情報は、前記画像データファイル及び前記音声データファイルのヘッダー部に格納されることを特徴とする請求項１〜４のいずれか１つに記載のデジタルスチルカメラ。
【請求項６】
少なくとも、静止画像と音声データを関連づけて記録する第１記録モードと、連写画像と音声データを関連づけて記録する第２記録モードと、を備えたデジタルスチルカメラにおいて、
被写体を撮像して画像データを得る撮像手段と、
音声を電気信号に変換して音声データを得る音声入力手段と、
前記画像データを所定形態で画像データファイルとし、前記音声データを所定形態で音声データファイルとして格納する記憶手段と、
を備え、
前記第１記録モードおよび第２記録モードでは、画像データファイルの一部に関連づけする音声データファイルの関連情報を記録し、音声データファイルの一部に関連づけする画像データファイルの関連情報を記録することを特徴とするデジタルスチルカメラ。
【発明の詳細な説明】
【０００１】
【発明の属する技術分野】
この発明は、デジタルスチルカメラに関し、詳細には、静止画、音声等を入力し、デジタルデータに変換して記憶媒体に記録するデジタルスチルカメラに関する。
【０００２】
【従来の技術】
近年、情報機器へ直接画像及び音声を入力できる装置が望まれており、メモリカード、ハードディスク、ＭＯ等の記録媒体（情報記録装置）を介して、または、電送により、情報機器に対して画像及び音声情報を入力している。このようなシステムにおいては、情報機器側において、取り扱い性・操作性に優れたデータ形式を備えた情報記録装置が求められている。
【０００３】
例えば、デジタルスチルビデオカメラにおいては、撮影した画像及び音声をデジタル画像及び音声データに変換して圧縮した後に、付属のメモリカード等に記録させる場合が多い。また、近年では、当該メモリカードの大容量化及び圧縮技術の進歩等に伴い、記録時のファイル名の生成にも種々の工夫が凝らされている。
【０００４】
例えば、特開平８−６３４８５号に記載されたデータファイリングシステムでは、データ入力部から画像データ、オーディオデータ、及びテキストデータを入力する。これらデータはファイル生成部にて所定の形式のデータファイルに形成される。分類部では、外部からの分類指示に従って、データファイルを分類する。最小画像ファイル生成部は、それぞれのデータファイルを表す縮小画像データのファイルを分類情報に基づいて生成する。情報ファイル生成部は、それぞれの分類情報に基づいて、それぞれのファイルの階層的な関連づけをしたディレクトリ情報を生成する。これらのファイル及び情報が記録装置３００にて光ディスクに記憶される。すなわち、かかるデータファイリングシステムは、関連づけ情報を別ファイルとしてもつというものである。
【０００５】
【発明が解決しようとする課題】
しかしながら、上記ファイリングシステムは、そのファイルを検索するだけで、関連情報が分かるという利点がある反面、そのファイルが消失してしまったときなど、関連づけ情報はすべて失われてしまうという問題がある。
【０００６】
また、上記ファイリングシステムはファイル管理上画像データや音声データを記録する度に、関連付けファイルを書き換えるという作業をしなければならず、その処理が煩雑になるという問題がある。
【０００７】
本発明は、上記課題に鑑みてなされたものであり、静止画像と音声データを同時に記録した場合に、音声データファイルと画像データファイルの両方に記録モードに関する関連情報を記録することにより、画像データファイル及び音声データファイルのいずれか一方の記録モードに関する関連情報が消失した場合にも、静止画像及び音声データを再生することが可能なデジタルスチルカメラを提供することを目的とする。
【０００８】
【課題を解決するための手段】
上述した課題を解決するために、請求項１に係るデジタルスチルカメラは、静止画像と音声データを関連づけして記録する記録モードを備えたデジタルスチルカメラにおいて、被写体を撮像して画像データを得る撮像手段と、音声を電気信号に変換して音声データを得る音声入力手段と、前記画像データを所定形態で画像データファイルとし、前記音声データを所定形態で音声データファイルとして格納する記憶手段と、を備え、静止画像と音声データを関連づけて記録する場合に、画像データファイルの一部に関連づけする音声データファイルの関連情報を記録し、かつ、音声データファイルの一部に関連づけする画像データファイルの関連情報を記録することを特徴とする。
【０００９】
また、請求項２に係るデジタルスチルカメラは、前記音声データファイルの関連情報または前記画像データファイルの関連情報として、撮影モードを記録することを特徴とする。
【００１０】
また、請求項３に係るデジタルスチルカメラは、前記音声データファイルの関連情報は、音声データファイルのファイル名であり、前記画像データファイルの関連情報は、画像データファイルのファイル名であることを特徴とする。
【００１１】
また、請求項４に係るデジタルスチルカメラは、前記ファイル名を、ＡＳＣＩＩコードまたはバイナリーコードで記録することを特徴とする。
【００１２】
また、請求項５に係るデジタルスチルカメラは、前記関連情報は、画像データファイル及び音声データファイルのヘッダー部に格納されることを特徴とする。
【００１３】
また、請求項６に係るデジタルスチルカメラは、少なくとも、静止画像と音声データを関連づけて記録する第１記録モードと、連写画像と音声データを関連づけて記録する第２記録モードと、を備えたデジタルスチルカメラにおいて、被写体を撮像して画像データを得る撮像手段と、音声を電気信号に変換して音声データを得る音声入力手段と、前記画像データを所定形態で画像データファイルとし、前記音声データを所定形態で音声データファイルとして格納する記憶手段と、を備え、前記第１記録モードおよび第２記録モードでは、画像データファイルの一部に関連づけする音声データファイルの関連情報を記録し、音声データファイルの一部に関連づけする画像データファイルの関連情報を記録することを特徴とする。
【００１４】
【発明の実施の形態】
以下に添付図面を参照して、この発明に係る好適な実施の形態を詳細に説明する。
【００１５】
図１はこの発明に係るデジタルスチルカメラの一実施の形態を示すブロック図である。
【００１６】
図１に示すデジタルスチルカメラは、レンズ１、オートフォーカスを含むメカ機構２、ＣＣＤ３、ＣＤＳ回路４、Ａ／Ｄ変換器５、デジタル信号処理回路６、圧縮／伸張回路７、ＤＲＡＭ８、メモリカード９、ＬＣＤ１０、ドライバ１１、ＳＧ１２、ＣＰＵ１３、操作部１４、ストロボ１５、マイク１６、ＡＭＰ／ＦＩＬＴＥＲ１７、Ｄ／Ａ変換器１８、音声データ圧縮／伸張回路１９、Ａ／Ｄ変換器２０、ＡＭＰ／ＦＩＬＴＥＲ２１、及びＯＳＤ２２等により構成されている。
【００１７】
レンズユニットは、レンズ１、オートフォーカス（ＡＦ）・絞り・フィルター部を含むメカ機構２等からなり、メカ構２のメカニカルシャッターは２つのフィールドの同時露光を行う。ＣＣＤ（電荷結合素子）３は、レンズユニットを介して入力した映像を電気信号（アナログ画像データ）に変換する。ＣＤＳ（相関２重サンプリング）回路４は、ＣＣＤ型撮像素子に対する低雑音化のための回路である。また、Ａ／Ｄ変換器５は、ＣＤＳ回路４を介してＣＣＤ３から入力したアナログ画像データをデジタル画像データに変換する。すなわち、ＣＣＤ３の出力信号は、ＣＤＳ回路４を通じてＡ／Ｄ変換器５で最適なサンプリング周波数（例えば、ＮＴＳＣ信号のサブキャリア周波数の整数倍）にてデジタル信号に変換される。
【００１８】
また、デジタル信号処理部６は、Ａ／Ｄ変換器５から入力した画像データを色差データと輝度データに分けて各種処理、補正、及び画像圧縮／伸長のためのデータ処理を施す。
【００１９】
画像圧縮／伸長回路７は、例えば、ＪＰＥＧ準拠の画像圧縮／伸長の一過程である直交変換・逆直交変換、並びに、ＪＰＥＧ準拠の画像圧縮・伸長の一過程であるハフマン符号化・ハフマン複合化等を行う。
【００２０】
一方、音声は、マイク１６等の音声−電気信号変換素子により電気信号に変換されて音声データとなり、ＡＭＰ／ＦＩＬＴＥＲ１７により増幅され必要帯域にカットオフされた後、Ｄ／Ａ変換器１８により所定帯域の２倍以上のサンプリング周波数でデジタル音声データに変換される。更に、このデジタル音声データはデータ圧縮・伸長部１９により圧縮・符号化処理される。
【００２１】
ＤＲＡＭ８は、圧縮処理された画像データを一時的に格納する。メモリカード９には、圧縮された画像データは画像データファイルとして、圧縮された音声データは音声データファイルとしてメモリカード９に記録される。
【００２２】
また、ＬＣＤ１０には、メモリカード９に記録されている画像データに応じた画像が表示される。また、ＬＣＤ１０には、設定されているデジタルスチルカメラの状態、例えば、設定されているモード表示やエラー表示等が行われる。操作部１４は、機能選択、撮影指示、及びその他の各種設定を外部から行うためのボタンを備えている。
【００２３】
ＣＰＵ１３は、操作部１４からの指示、若しくは図示しないリモコン等の外部動作指示に応じて、図示しないＲＯＭに格納された制御プログラムに従って、デジタルスチルカメラの各部の動作を制御する。例えば、ＣＰＵ１３は、メモリカード９への画像データや音声データの記録動作の制御、メモリカード９に記録されている画像データファイルや音声データファイルの再生動作の制御等を行う。
【００２４】
次に、デジタルスチルカメラの画像データの記録動作を説明する。先ず、レンズ１を被写体像は、ＣＣＤ３で電気信号（アナログ画像データ）に変換された後、ＣＤＳ４を経て、Ａ／Ｄ変換器５に入力されアナログ画像データがデジタル画像データに変換される。変換されたデジタル画像データは、デジタル信号処理回路６で信号処理されて、ＣＰＵバスを介してＤＲＡＭ８に格納される。ＤＲＡＭ８に格納されたデジタル画像データは、ＣＰＵバスを介して圧縮／伸張回路７に入力され、圧縮処理されて、再び、ＤＲＡＭ８に格納される。圧縮処理が終了すると、ＣＰＵ１３は、ＤＲＡＭ８に格納されている圧縮処理された画像データを、ＣＰＵバスを介してメモリカード９に所定形態で画像データファイルとして記録する。
【００２５】
次に、デジタルスチルカメラの画像データの再生動作を説明する。操作部１４の操作により再生すべきメモリカード９の画像データファイルが指定されると、指定された画像データファイルの圧縮処理された画像データが読み出されて、ＤＲＡＭ８に格納される。このＤＲＡＭ８に格納された画像データは、ＣＰＵバスを介して圧縮／伸張回路７に入力され、伸張処理されて、再び、ＤＲＡＭ８に格納される。ＤＲＡＭ８に格納された伸張処理された画像データは、ＣＰＵバスを介してデジタル信号処理回路６に入力され、ビデオ信号に変換されてＬＣＤ１０に表示される。
【００２６】
次に、上記構成のデジタルスチルカメラの記録モードについて説明する。
【００２７】
上記デジタルスチルカメラは、静止画を記録する第１モード（静止画モード）、静止画と音声を記録する第２モード（静止画＋音声モード（音声付き静止画記録モード））、音声を記録する第３モード（音声モード）、連続画像を記録する第４モード（連写モード）、連続画像と音声を記録する第５モード（連写＋音声モード（音声付き連写画像記録モード））を、記録モードとして備えており、操作者による操作部１４の操作により、記録モードの選択操作が行われ、得られる静止画や音声情報等は、メモリカード９の所定領域に所定形態で格納される。
【００２８】
図２は、記録モードの各コードの例を示しており、図示のように、「００」は、第１モード（静止画モード）を示し、「０１」が、第２モード（静止画＋音声モード）を示し、「０２」が、第３モード（音声モード）を示し、「０３」が、第４モード（連写モード）を示し、「０４」が、第５モード（連写＋音声モード）を示しており、このコード「００」〜「０４」が、画像データファイルの画像ヘッダや音声データファイルの音声ヘッダに記録される。また、第２モード（静止画＋音声モード）や第５モード（連写＋音声モード）が選択された場合には、メモリカード９においては、画像データファイルの画像ヘッダーに、対応する音声データファイル名が、音声データファイルの音声ヘッダに、対応する画像データファイル名が記録される。
【００２９】
図３は、上記メモリカード９のフォーマットの一例を示す図である。このフォーマットは、パソコン用のＤＯＳのフォーマットと同一のものとなっている。
【００３０】
メモリカード９は、図３に示す如く、デバイス種類、アクセス速度、記憶容量等のカード属性情報が格納されるアトリビュート領域９１と、ブートセレクタ領域９２と、ＦＡＴ領域９３と、ディレクトリエントリ領域９４と、画像データファイルを格納する画像データファイル格納領域９５と、音声データファイルを格納する音声データファイル格納領域９６と、から構成されている。
【００３１】
ブートセレクタ領域９２には、メモリカード９からデータを読み書きする場合に必要なパラメータ、すなわち、ＦＡＴ（file  allocation  table ）の数、ディレクトリエントリの数等が記録される。
【００３２】
ＦＡＴ領域９３には、各ファイルのデータが記録されている状態の情報であるＦＡＴエントリが書き込まれる。尚、データが記録されているメモリ上の位置は、データの書き込み単位の番号となるクラスタ番号で示されている。
【００３３】
図４は、ディレクトリエントリ領域９４に格納されるデータの構成の一例を示す図である。
【００３４】
ディレクトリエントリ領域９４には、図４に示す如く、記録したデータのファイル名、ファイル属性、予約領域、作成／更新時刻、作成更新日付、対応するファイルまたはサブディレクトリエントリの物理的位置（ＦＡＴ開始番号）と該ファイルのサイズについての情報がそれぞれ記録されている。上記ファイル名としては、対応するものがデータファイルであるときには、ファイルの属性情報の１つである拡張子を含むファイル名が記録される。
【００３５】
画像データファイル領域９５の構成は、図５に示す如くなっており、各画像データファイル（例えば、RIM00001.JPG、RIM00002.JPG、RIM00003.JPG、RIM00004.JPG、・・・・）が、順次固定長のデータで書き込まれている。また、画像データファイルは、図示の如く、画像ヘッダーと画像データからなる。画像ヘッダーには、ファイル属性、個別規格名称、規格のバージョン、画像データ本体の関連情報、並びに、記録モードの関連情報として、記録モード及び当該記録モードにおける関連ファイル名が記録される。
【００３６】
音声データファイル領域９６の構成は、図６に示す如くなっており、各音声データファイル（例えば、RS00001.WAV 、RS00002.WAV 、RS00003.WAV 、・・・）が、順次固定長のデータで書き込まれている。また、音声データファイルは、図示の如く、音声ヘッダーと音声データからなる。音声ヘッダーには、ファイル属性、個別規格名称、規格のバージョン、音声データ本体の関連情報、並びに記録モードの関連情報として、記録モード及び当該記録モードにおける関連ファイル名が記録される。尚、画像ヘッダーや音声ヘッダーには、ＡＳＣＩＩコードやバイナリーコードでデータが記録される。
【００３７】
例えば、静止画と音声を記録する第２モード（静止画＋音声モード）が選択され、このとき、撮像した静止画を格納する画像データファイルを、「RIM00001.JPG」とし、録音した音声情報を格納する音声データファイルを、「RS00001.WAV 」とした場合には、図７（Ａ）に示すように、画像データファイル「RIM00001.JPG」の画像ヘッダーには、記録モードとして、第２モード（静止画＋音声モード）を示す「０１」が、関連ファイル名として、対応する音声データファイル名である「RS00001.WAV 」が記録され、また、図７（Ｂ）に示すように、音声データファイル「RS00001.WAV 」の音声ヘッダーには、記録モードとして、第２モード（静止画＋音声モード）を示す「０１」が、関連ファイル名として、対応する画像データファイル名である「RIM00001.JPG」が記録される。
【００３８】
以上説明したように、本実施の形態においては、音声付き静止画記録モード（第２モード）や音声付き連写画像記録モード（第５モード）が選択された場合には、メモリカード９の画像データファイルの画像ヘッダーに当該記録モードを記録すると共に対応する音声データファイル名を記録する一方、音声データファイルの音声ヘッダーに当該記録モードを記録すると共に対応する画像データファイル名を記録する構成としたので、画像データファイル及び音声データファイルのいずれか一方の記録モードに関する関連情報が消失した場合にも、画像及び音声データを再生することが可能となる。また、音声付き静止画記録モード（第２モード）や音声付き連写画像記録モード（第５モード）が選択された場合に、画像データや音声データを記録する度に、関連付けファイルを書き換えるという作業が不要となり、ファイル管理が容易となる。
【００３９】
【発明の効果】
請求項１に係るデジタルスチルカメラによれば、静止画像と音声データを関連づけして記録する記録モードを備えたデジタルスチルカメラにおいて、被写体を撮像して画像データを得る撮像手段と、音声を電気信号に変換して音声データを得る音声入力手段と、前記画像データを所定形態で画像データファイルとし、前記音声データを所定形態で音声データファイルとして格納する記憶手段と、を備え、静止画像と音声データを関連づけて記録する場合には、画像データファイルの一部に関連づけする音声データファイルの関連情報を記録し、かつ、音声データファイルの一部に関連づけする画像データファイルの関連情報を記録することとしたので、画像データファイル及び音声データファイルのいずれか一方の記録モードに関する関連情報が消失した場合にも、静止画像及び音声データを再生することが可能となる。
【００４０】
請求項２に係るデジタルスチルカメラによれば、前記音声データファイルの関連情報または前記画像データファイルの関連情報として、撮影モードを記録することとしたので、画像データファイル及び音声データファイルのいずれか一方の記録モードに関する関連情報が消失した場合にも、簡単なファイル構成で、静止画像及び音声データを再生することが可能となる。
【００４１】
請求項３に係るデジタルスチルカメラによれば、前記音声データファイルの関連情報は、音声データファイルのファイル名であり、前記画像データファイルの関連情報は、画像データファイルのファイル名であることとしたので、画像データファイル及び音声データファイルのいずれか一方の記録モードに関する関連情報が消失した場合にも、簡単なファイル構成で、静止画像及び音声データを再生することが可能となる。
【００４２】
請求項４に係るデジタルスチルカメラによれば、前記ファイル名を、ＡＳＣＩＩコードまたはバイナリーコードで記録することとしたので、データ量を低減することが可能となる。
【００４３】
請求項５に係るデジタルスチルカメラによれば、前記関連情報は、画像データファイル及び音声データファイルのヘッダー部に格納されることを特徴とする。
【００４４】
請求項６に係るデジタルスチルカメラによれば、静止画像と音声データを関連づけて記録する第１記録モードと、連写画像と音声データを関連づけて記録する第２記録モードと、を備えたデジタルスチルカメラにおいて、被写体を撮像して画像データを得る撮像手段と、音声を電気信号に変換して音声データを得る音声入力手段と、前記画像データを所定形態で画像データファイルとし、前記音声データを所定形態で音声データファイルとして格納する記憶手段と、を備え、前記第１記録モードおよび前記第２記録モードでは、画像データファイルの一部に関連づけする音声データファイルの関連情報を記録し、音声データファイルの一部に関連づけする画像データファイルの関連情報を記録することとしたので、画像データファイル及び音声データファイルのいずれか一方の記録モードに関する関連情報が消失した場合にも、画像データ及び音声データを再生することが可能となる。
【図面の簡単な説明】
【図１】この発明に係るデジタルスチルカメラの一実施の形態を示すブロック図である。
【図２】記録モードの各コードの例を示す図である。
【図３】図１のメモリカードのフォーマットの一例を示す図である。
【図４】図１のメモリカードのディレクトリエントリ領域に格納されるデータの構成の一例を示す図である。
【図５】図１のメモリカードの画像データファイル領域の構成の一例を示す図である。
【図６】図１のメモリカードの音声データファイル領域の構成の一例を示す図である。
【図７】画像データファイル及び音声データファイルのデータ構成例を示す図である。
【符号の説明】
１    レンズ
２    メカ機構
３    ＣＣＤ
４    ＣＤＳ回路
５    Ａ／Ｄ変換器
６    デジタル信号処理回路
７    圧縮／伸張回路
８    ＤＲＡＭ
９    メモリカード
１０  ＬＣＤ
１１  ドライバ
１２  ＳＧ
１３  ＣＰＵ
１４  操作部
１５  ストロボ
１６  マイク
１７  ＡＭＰ／ＦＩＬＴＥＲ
１８  Ｄ／Ａ変換器
１９  音声データ圧縮／伸張回路
２０  Ａ／Ｄ変換器
２１  ＡＭＰ／ＦＩＬＴＥＲ
２２  ＯＳＤ
９１  アトリビュート領域
９２  ブートセレクタ
９３  ＦＡＴ領域
９４  ディレクトリエントリ領域
９５  画像データファイル領域
９６  音声データファイル領域
【図１】
0003592504.tif 000002
【図２】
0003592504.tif 000003
【図３】
0003592504.tif 000004
【図４】
0003592504.tif 000005
【図５】
0003592504.tif 000006
【図６】
0003592504.tif 000007
【図７】
0003592504.tif 000008